(57)【要約】【課題】通信時間を変更することができるカラーファクシミリ装置を提供すること【解決手段】本発明に係るカラーファクシミリ装置１は、読取部２０と、符号化部４０と、送信部５０とを備える。読取部２０は、カラー画像を読み取って画像データ１０１を取得する。符号化部４０は、画像データ１０１を圧縮することによって圧縮画像データ１０４を生成する。送信部５０は、その圧縮画像データ１０４を送信する。符号化部４０は、画像データ１０１の圧縮率を可変に設定する。【選択図】      図１
2006237907.tif 000002
【特許請求の範囲】
【請求項１】
カラー画像を読み取って画像データを取得する読取部と、
前記画像データを圧縮することによって圧縮画像データを生成する符号化部と、
前記圧縮画像データを送信する送信部と
を具備し、
前記符号化部は、前記画像データの圧縮率を可変に設定する
カラーファクシミリ装置。
【請求項２】
請求項１に記載のカラーファクシミリ装置であって、
複数の量子化テーブルを格納する量子化テーブル格納部を更に具備し、
前記符号化部は、前記複数の量子化テーブルの少なくとも１つを用いることによって、前記画像データから前記圧縮画像データを生成する
カラーファクシミリ装置。
【請求項３】
請求項２に記載のカラーファクシミリ装置であって、
前記符号化部は、
ユーザの指定に応じて、用いられる前記１つの量子化テーブルを選択量子化テーブルとして決定し、
前記選択量子化テーブルを用いることによって、前記画像データから前記圧縮画像データを生成する。
カラーファクシミリ装置。
【請求項４】
請求項３に記載のカラーファクシミリ装置であって、
前記圧縮画像データの送信に必要な時間を算出する演算処理部と、
前記圧縮画像データ及び前記算出された時間を表示する表示部と
を更に具備する
カラーファクシミリ装置。
【請求項５】
請求項２に記載のカラーファクシミリ装置であって、
前記符号化部は、
前記複数の量子化テーブルのそれぞれを用いることによって、前記画像データから複数の前記圧縮画像データを生成し、
ユーザによって前記複数の圧縮画像データから選択される１つに対応する前記量子化テーブルを、選択量子化テーブルとして決定する
カラーファクシミリ装置。
【請求項６】
請求項５に記載のカラーファクシミリ装置であって、
前記複数の圧縮画像データのそれぞれの送信に必要な時間を算出する演算処理部と、
前記複数の圧縮画像データ及び前記算出された時間を関連付けて表示する表示部と
を更に具備する
カラーファクシミリ装置。
【請求項７】
請求項３乃至６のいずれかに記載のカラーファクシミリ装置であって、
前記送信部は、前記圧縮画像データと共に前記選択量子化テーブルを送信する
カラーファクシミリ装置。
【請求項８】
複数の量子化テーブルを格納する記憶装置を有するカラーファクシミリ装置の動作方法であって、
（Ａ）カラー画像を読み取って画像データを取得するステップと、
（Ｂ）前記記憶装置に格納された前記複数の量子化テーブルのうち１つを用いることによって、前記画像データから圧縮画像データを生成するステップと、
（Ｃ）前記圧縮画像データの送信に必要な時間を算出するステップと、
（Ｄ）前記圧縮画像データ及び前記算出された時間を表示装置に表示させるステップと、
（Ｅ）前記圧縮画像データと共に、用いられた前記１つの量子化テーブルを送信するステップと
を具備する
カラーファクシミリ装置の動作方法。
【請求項９】
請求項８に記載のカラーファクシミリ装置の動作方法であって、
ユーザに指定に応じて、前記（Ｂ）ステップから前記（Ｄ）ステップが繰り返される
カラーファクシミリ装置の動作方法。
【請求項１０】
複数の量子化テーブルを格納する記憶装置を有するカラーファクシミリ装置の動作方法であって、
（ａ）カラー画像を読み取って画像データを取得するステップと、
（ｂ）前記記憶装置に格納された前記複数の量子化テーブルのそれぞれを用いることによって、前記画像データから複数の圧縮画像データを生成するステップと、
（ｃ）前記複数の圧縮画像データのそれぞれの送信に必要な時間を見積もるステップと、
（ｄ）前記複数の圧縮画像データ及び前記算出された時間を関連付けて表示装置に表示させるステップと、
（ｅ）前記複数の圧縮画像データのうちユーザによって選択される１つに対応する量子化テーブルを、選択量子化テーブルとして決定するステップと、
（ｆ）前記選択された圧縮画像データと共に前記選択量子化テーブルを送信するステップと
を具備する
カラーファクシミリ装置の動作方法。
【発明の詳細な説明】
【技術分野】
【０００１】
本発明は、ファクシミリ装置及びその動作方法に関し、特に、カラー画像を送信することができるカラーファクシミリ装置及びその動作方法に関する。
【背景技術】
【０００２】
カラー画像を遠隔地に伝達するためのカラーファクシミリ装置が知られている。カラーファクシミリ装置は、カラー画像を読み取ることによって読み取りデータを取得し、その読み取りデータをＪＰＥＧファイルに変換する。そして、得られたＪＰＥＧファイルが回線を通じて送信される。カラーファクシミリにおいてはＪＰＥＧファイルが送信されるため、通常のファクシミリに比べ、通信時間及び通信費が増大する。従って、データ送信前に、ユーザが通信時間や通信費を確認あるいは変更することができる技術が望まれる。
【０００３】
一般的なファクシミリ装置に関する技術として、以下の技術が知られている。
【０００４】
特許文献１に開示されたファクシミリ装置は、画像データ量算出部と、通信時間算出部と、報知部と、入力部と、通信部とを備えている。画像データ量算出部は、各解像度について画像データの量を算出する。通信時間算出部は、算出された画像データの量に基づき、各解像度について通信時間を算出する。報知部は、算出された通信時間を、解像度と対応させて報知する。入力部は、選択された解像度を入力する。通信部は、入力された解像度に基づき通信を行う。
【０００５】
特許文献２に開示された画像処理装置は、画像データ入力部と、多値画像メモリと、画像処理部と、表示部と、操作入力部と、制御部とを備える。画像データ入力部は、多値画像データを入力する。多値画像メモリは、入力された多値画像データを記憶する。画像処理部は、設定された画像処理パラメータに基づいて、多値画像メモリから読み出された多値画像データの処理を行う。表示部は、画像処理部で処理された画像データの画像の少なくとも一部を表示する。操作入力部は、画像処理パラメータの設定を入力する。画像処理パラメータが変更された場合、制御部は、画像処理部が変更後の画像処理パラメータに基づいて処理を行い、表示部が処理された画像データの画像を表示するように制御する。
【０００６】
【特許文献１】特開２００２−９４７６０号公報
【特許文献２】特開２００２−３００３９６号公報
【発明の開示】
【発明が解決しようとする課題】
【０００７】
本発明の目的は、通信時間を変更することができるカラーファクシミリ装置及びその動作方法を提供することにある。
【０００８】
本発明の他の目的は、画質を変更することができるカラーファクシミリ装置及びその動作方法を提供することにある。
【０００９】
本発明の更に他の目的は、送信前にユーザが通信時間及び画質を確認することができるカラーファクシミリ装置及びその動作方法を提供することにある。
【課題を解決するための手段】
【００１０】
以下に、［発明を実施するための最良の形態］で使用される番号・符号を用いて、［課題を解決するための手段］を説明する。これらの番号・符号は、［特許請求の範囲］の記載と［発明を実施するための最良の形態］との対応関係を明らかにするために括弧付きで付加されたものである。ただし、それらの番号・符号を、［特許請求の範囲］に記載されている発明の技術的範囲の解釈に用いてはならない。
【００１１】
本発明に係るカラーファクシミリ装置（１）は、読取部（２０）と、符号化部（４０）と、送信部（５０）とを備える。読取部（２０）は、カラー画像を読み取って画像データ（１０１）を取得する。符号化部（４０）は、画像データ（１０１）を圧縮することによって圧縮画像データ（１０４）を生成する。送信部（５０）は、その圧縮画像データ（１０４）を送信する。符号化部（４０）は、画像データ（１０１）の圧縮率を可変に設定する。
【００１２】
このカラーファクシミリ装置（１）は、複数の量子化テーブル（１１０）を格納する量子化テーブル格納部（８０）を更に備える。符号化部（４０）は、複数の量子化テーブル（１１０）の少なくとも１つを用いることによって、画像データ（１０１）から圧縮画像データ（１０４）を生成する。
【００１３】
本発明に係るカラーファクシミリ装置（１）において、符号化部（４０）は、ユーザの指定に応じて、用いられる１つの量子化テーブル（１１０）を選択量子化テーブル（１１０）として決定する。そして、符号化部（４０）は、その選択量子化テーブル（１１０）を用いることによって、画像データ（１０１）から圧縮画像データ（１０４）を生成する。このカラーファクシミリ装置（１）は、圧縮画像データ（１０４）の送信に必要な時間を算出する演算処理部（１０）と、圧縮画像データ（１０４）及び算出された時間を表示する表示部（６０）とを更に備えることが好ましい。
【００１４】
また、本発明に係るカラーファクシミリ装置（１）において、符号化部（４０）は、複数の量子化テーブル（１１０）のそれぞれを用いることによって、画像データ（１０１）から複数の圧縮画像データ（１０４）を生成してもよい。この場合、符号化部（４０）は、ユーザによって複数の圧縮画像データ（１０４）から選択される１つに対応する量子化テーブル（１１０）を、選択量子化テーブル（１１０）として決定する。このカラーファクシミリ装置（１）は、複数の圧縮画像データ（１０４）のそれぞれの送信に必要な時間を算出する演算処理部（１０）と、複数の圧縮画像データ（１０４）及び算出された時間を関連付けて表示する表示部（６０）とを更に備えることが好ましい。
【００１５】
このようなカラーファクシミリ装置（１）において、送信部（５０）は、圧縮画像データ（１０４）と共に上記選択量子化テーブル（１１０）を送信する。
【００１６】
また、本発明の他の観点において、複数の量子化テーブル（１１０）を格納する記憶装置を有するカラーファクシミリ装置（１）の動作方法が提供される。その動作方法は、（Ａ）カラー画像を読み取って画像データ（１０１）を取得するステップと、（Ｂ）記憶装置に格納された複数の量子化テーブル（１１０）のうち１つを用いることによって、画像データ（１０１）から圧縮画像データ（１０４）を生成するステップと、（Ｃ）圧縮画像データ（１０４）の送信に必要な時間を算出するステップと、（Ｄ）圧縮画像データ（１０４）及び算出された時間を表示装置に表示させるステップと、（Ｅ）圧縮画像データ（１０４）と共に、用いられた１つの量子化テーブル（１１０）を送信するステップとを有する。ユーザに指定に応じて、上記（Ｂ）ステップから上記（Ｄ）ステップが繰り返されてもよい。
【００１７】
本発明の更に他の観点において、複数の量子化テーブル（１１０）を格納する記憶装置を有するカラーファクシミリ装置（１）の動作方法が提供される。その動作方法は、（ａ）カラー画像を読み取って画像データ（１０１）を取得するステップと、（ｂ）記憶装置に格納された複数の量子化テーブル（１１０）のそれぞれを用いることによって、画像データ（１０１）から複数の圧縮画像データ（１０４）を生成するステップと、（ｃ）複数の圧縮画像データ（１０４）のそれぞれの送信に必要な時間を見積もるステップと、（ｄ）複数の圧縮画像データ（１０４）及び算出された時間を関連付けて表示装置に表示させるステップと、（ｅ）複数の圧縮画像データ（１０４）のうちユーザによって選択される１つに対応する量子化テーブル（１１０）を、選択量子化テーブル（１１０）として決定するステップと、（ｆ）選択された圧縮画像データ（１０４）と共に選択量子化テーブル（１１０）を送信するステップとを有する。
【発明の効果】
【００１８】
本発明に係るカラーファクシミリ装置及びその動作方法によれば、通信時間を変更することが可能となる。
【００１９】
本発明に係るカラーファクシミリ装置及びその動作方法によれば、画質を変更することが可能となる。
【００２０】
本発明に係るカラーファクシミリ装置及びその動作方法によれば、送信前に、ユーザが通信時間及び画質を確認することが可能となる。
【発明を実施するための最良の形態】
【００２１】
添付図面を参照して、本発明によるカラーファクシミリ装置及びその動作方法を説明する。
【００２２】
図１は、本発明に係るカラーファクシミリ装置の構成を示すブロック図である。このカラーファクシミリ装置は、互いにバスを介して接続された、制御部１０、読取部２０、一時記憶部３０、符号化部４０、モデム部５０、表示部６０、入力部７０、及び量子化テーブル格納部８０を備えている。制御部１０は、演算処理装置とその演算処理装置により実行されるコンピュータプログラムから構成される。そのコンピュータプログラムは、各部を制御するためのプログラムや、各種演算を行うためのプログラムを含んでいる。つまり、制御部１０は、各部を制御し、また、各種演算を行う。
【００２３】
読取部２０は、スキャナを含む装置である。読取部２０は、送信対象の原稿（カラー画像）を読み取ることによって画像データ（読み取り画像データ）を取得する。一時記憶部３０は、ＲＡＭにより実現され、読取部２０により得られた画像データを一時的に格納する。
【００２４】
符号化部４０は、演算処理装置とその演算処理装置により実行されるコンピュータプログラムから構成される。符号化部４０は、上記読取画像データを符号化することによって、画像符号化データを生成する。より具体的には、画像符号化データは、ＪＰＥＧ（Joint Photographic Experts Group）ファイルである。つまり、符号化部４０は、上記読取画像データを圧縮することによって、画像符号化データ（圧縮画像データ）を生成する。
【００２５】
モデム部（送受信部）５０は、モデムを含む装置である。モデム部５０は、回線を通じて、相手ファクシミリ装置と通信プロトコル制御を行う。また、モデム部５０は、上記画像符号化データ（圧縮画像データ）を、相手ファクシミリ装置に送信したり、相手ファクシミリ装置からデータを受け取ったりする。表示部６０として、液晶ディスプレイが例示される。表示部６０には、カラーファクシミリ装置１を操作するための各種情報が表示される。入力部７０は、電話番号を入力するためのボタンや、その他オペレーションを行うためのボタンを含む。
【００２６】
量子化テーブル格納部８０としては、ＲＯＭやフラッシュメモリ等の記憶装置が例示される。後述されるように、この量子化テーブル格納部８０には、ＪＰＥＧファイルを作成する際に使用される「量子化テーブル」が複数格納されている。
【００２７】
図２は、ＪＰＥＧ方式による画像圧縮処理の流れを説明するための図である。つまり、図２は、符号化部４０が、読み取り画像データ１０１からＪＰＥＧファイル（画像符号化データ、圧縮画像データ）１０４を生成するための手順を示している。
【００２８】
この画像圧縮処理によれば、まず、読取画像データ１０１が示す画像が、ブロック（例えば、８ドット×８ドットのブロック）ごとに区切られる。次に、各ブロックに対して「離散的コサイン変換（DCT: Discrete Cosine Transform）」が実行される。この離散的コサイン変換によれば、各ブロック内の画像が、例えば合計６４個のコサインカーブに分解される。これにより、読み取り画像データ１０１からＤＣＴデータ１０２が生成される。つまり、ＤＣＴデータ１０２は、空間周波数に関して、高周波成分と低周波成分がどのくらいの割合で画像に含まれているのか、を示すデータである。ＤＣＴデータ１０２は、それぞれの周波数成分のパワーを示す６４個のＤＣＴ係数から成り立つ。
【００２９】
次に、ＤＣＴデータ１０２に対して「量子化」が実行される。量子化処理においては、「量子化テーブル１１０」が用いられ、その量子化テーブルに定められた６４個の値で、６４個のＤＣＴ係数のそれぞれが割られる。ここで、概して高周波側のＤＣＴ係数ほど大きな値で割り算されるように、量子化テーブル１１０は定められている。そして、割り算の結果得られたそれぞれの値は、整数に丸められる。この割り算と整数化の結果、ＤＣＴデータ１０２は量子化データ１０３に変換され、その内容は単純化される。この量子化処理によって、データ量はかなり圧縮される。尚、データを復元する場合は、同じ量子化テーブル１１０が用いられ、量子化データ１０３の各値にその量子化テーブル１１０の各値が掛けられればよい。
【００３０】
更に、量子化データ１０３に対して周知のハフマン符号化（Huffmann coding）が実行される。このハフマン符号化では、ハフマンテーブル１２０が用いられ、データが更に圧縮される。このハフマン符号化により、量子化データ１０３から、画像符号データ（圧縮画像データ）１０４が生成される。このような手順に従い、送信用データが得られる。
【００３１】
送信用データの画質は、スキャン時の解像度、及び上記圧縮処理における圧縮率に依存する。本発明に係るカラーファクシミリ装置１によれば、特に、画像データの圧縮率が可変に設定される。つまり、符号化部４０は、画像データの圧縮率を可変に設定する。そのためには、複数の量子化テーブル１１０が予め用意されていればよい。そして、ユーザにより、その複数の量子化テーブル１１０から用いられる１つの量子化テーブル１１０が選択されればよい。
【００３２】
そのため、本発明に係るカラーファクシミリ装置１は、複数の量子化テーブル１１０を格納する量子化テーブル格納部８０を備えている。図３は、その量子化テーブル格納部８０の内容を示す概念図である。図３に示されるように、量子化テーブル格納部８０には、互いに異なる複数の量子化テーブル１１０ａ、１１０ｂ、１１０ｃ・・・が格納されている。例えば、量子化テーブル１１０ｂにおける、高周波側のＤＣＴ係数に対する割り算に用いられる値が、量子化テーブル１１０ａにおけるものより大きいとする。この場合、量子化テーブル１１０ｂを用いた場合の方が、量子化テーブル１１０ａを用いた場合よりも、圧縮率は高くなる。このように、異なる量子化テーブル１１０を用いることにより、異なる圧縮率が実現される。受信側でデータを復元するためには、送信側における圧縮処理で用いられた量子化テーブル１１０が、圧縮画像データ１０４と共に受信側へ送信されればよい。
【００３３】
複数の量子化テーブル１１０を用いて「圧縮率」を可変に設定することは、カラー画像を扱うカラーファクシミリ装置だからこそ適用され得る技術である。以下、本発明に係るカラーファクシミリ装置１の動作が、更に詳しく説明される。
【００３４】
（第１の実施の形態）
図４は、本発明の第１の実施の形態に係るカラー画像の送信方法を示すフローチャートである。まず、カラーファクシミリ装置１の所定の位置に、送信対象の原稿（カラー画像）がセットされる（ステップＳ１）。次に、ユーザは、入力部７０を用いることによって、相手先電話番号を入力する（ステップＳ２）。次に、ユーザは、表示部６０に表示された情報を基に、入力部７０を用いることによって解像度を選択する（ステップＳ３）。次に、ユーザは、入力部７０に含まれる読み取りスタートボタンを押下する。これに応答して、読取部２０は、原稿を読み取る（ステップＳ４）。これにより得られた読み取り画像データ１０１は、一時記憶部３０に保存される。
【００３５】
次に、符号化部４０は、量子化テーブル格納部８０を参照し、ユーザにより指定される圧縮率で、読取画像データ１０１に対して圧縮処理を行う。一回目は、デフォルトの圧縮率で圧縮処理が行われてもよい。つまり、一回目は、デフォルトの量子化テーブル１１０が用いられてもよい。これにより、符号化部４０は、読み取り画像データ１０１から圧縮画像データ１０４を生成する。また、制御部（演算処理装置）１０は、生成された圧縮画像データ１０４の送信に必要な時間（予想通信時間）を算出する（ステップＳ５）。尚、制御部１０は、生成された圧縮画像データ１０４の送信に必要な料金（予想通信料金）を更に算出してもよい。
【００３６】
次に、表示部６０は、生成された圧縮画像データ１０４及び算出された予想通信時間を表示する（ステップＳ６）。これにより、ユーザは、送信される画像の画質や、通信時間を確認することができる。また、現在の画質や通信時間を参照することにより、ユーザは、圧縮率の変更や原稿の再読み取りを考慮することができる。尚、予想通信時間と共に、予想通信料金が表示されてもよい。また、本明細書において、「圧縮画像データ（ＪＰＥＧファイル）の表示」とは、圧縮処理後の画像を人間の目に見える形で表示することを意味する。
【００３７】
ユーザは、送信を開始するか、圧縮率を変更するかを選択する（ステップＳ７）。圧縮率を変更する場合（ステップＳ７；Ｎｏ）、表示部６０には、選択可能な圧縮率の一覧が表示される。ユーザは、入力部７０を用いることによって、１つの圧縮率を指定する（ステップＳ８）。この圧縮率の指定（選択）は、用いられる量子化テーブル１１０の指定（選択）に相当する。符号化部４０は、複数の量子化テーブル１１０のうちユーザによって指定された量子化テーブル１１０を、「選択量子化テーブル」として決定する。そして、符号化部４０は、その選択量子化テーブルを用いることによって、一時記憶部３０に格納された読み取り画像データ１０１から再び圧縮画像データ１０４を生成する（ステップＳ５）。ここで、原稿を再度読み取る必要は必ずしもない。その後、同様の処理が行われる。
【００３８】
ステップＳ７において、ユーザは、解像度の変更を選択してもよい。その場合、表示部６０には、選択可能な解像度の一覧が表示される。ユーザは、入力部７０を用いることによって、１つの解像度を指定する（ステップＳ３）。この場合は、再度、原稿の読み取りが実行される（ステップＳ４）。その後、同様の処理が行われる。
【００３９】
表示部６０に表示された情報を確認した結果、ユーザがデータの送信を決定した場合、ユーザは、入力部７０の送信開始ボタンを押下する（ステップＳ７；Ｙｅｓ）。モデム部５０は、ダイヤル処理を行い、相手先電話番号へ発信する（ステップＳ９）。その後、相手先とファクシミリ通信が行われる（ステップＳ１０）。
【００４０】
図５は、本発明に係るファクシミリ装置１によって送信される送信データの内容を示す概念図である。図５に示されるように、送信データは、最終的に用いられた選択量子化テーブル１１０、ハフマン符号化で用いられたハフマンテーブル１２０、及び圧縮処理によって得られた圧縮画像データ１０４を含んでいる。選択量子化データ１１０及びハフマンテーブル１２０は、送信データのヘッダとして付加されている。このように、本発明によれば、圧縮画像データ１０４と共に、選択量子化テーブル１１０及びハフマンテーブル１２０が送信される。受信側のファクシミリ装置は、受け取った選択量子化テーブル１１０及びハフマンテーブル１２０を用いることによって、受け取った圧縮画像データ１０４の復号化を実行することが可能となる。
【００４１】
図６は、ＦＡＸ送信処理の流れを示す図である。相手機が応答した後、フェーズＡでは、ファクシミリ送信を示すＣＮＧ信号が送出される。フェーズＢでは、通信速度、画質、回線品質等について、相手機とのネゴシエーションが行われる。フェーズＣでは、図５に示された送信データの送信が行われる。フェーズＤでは、ページ間のネゴシエーション、及び終了手順が行われる。
【００４２】
上述の予想通信時間を算出するためには、フェーズＡ〜フェーズＤの各々に要する時間が見積もられればよい。フェーズＡ及びフェーズＢに関しては、フォールバックが無いと仮定され、所定の通信時間がカウントされる。フェーズＣに関しては、自機の初期伝送速度及び送信データのサイズから所要時間が算出される。具体的には、フェーズＣの所要時間は、「送信データサイズ／伝送速度」と「フレーム毎に必要な所定の処理に要する時間」と「パーシャルページ毎に必要な所定の処理に要する時間」の合計として算出される。フェーズＤに関しては、所定の通信時間がカウントされる。このように、各フェーズごとに見積もられた所要時間の合計が、予想通信時間として算出される。
【００４３】
以上に説明されたように、本実施の形態によれば、複数の量子化テーブル１１０が用意されるので、画像データの圧縮率が可変となる。これにより、送信データの画質及びサイズは可変となり、通信時間を調節することが可能となる。特に、送信データ及び予想通信時間が表示部６０に表示されるので、ユーザは、送信前に画質及び通信時間を確認することが可能となる。これにより、通信時間や通信料金を抑えたい場合、ユーザは、圧縮率（画質）を再度選択することができる。精細な画質が不必要な場合、ユーザは、画質を落とすことによって、通信時間を削減することができる。
【００４４】
（第２の実施の形態）
図７は、本発明の第２の実施の形態に係るカラー画像の送信方法を示すフローチャートである。まず、カラーファクシミリ装置１の所定の位置に、送信対象の原稿（カラー画像）がセットされる（ステップＳ１１）。次に、ユーザは、入力部７０を用いることによって、相手先電話番号を入力する（ステップＳ１２）。次に、ユーザは、表示部６０に表示された情報を基に、入力部７０を用いることによって解像度を選択する（ステップＳ１３）。次に、ユーザは、入力部７０に含まれる読み取りスタートボタンを押下する。これに応答して、読取部２０は、原稿を読み取る（ステップＳ１４）。これにより得られた読み取り画像データ１０１は、一時記憶部３０に保存される。
【００４５】
次に、符号化部４０は、量子化テーブル格納部８０を参照し、複数の量子化テーブル１１０のそれぞれを用いることによって、読み取り画像データ１０１に対して圧縮処理を行う。これにより、１つの読み取り画像データ１０１から、圧縮率の異なる複数の圧縮画像データ１０４が生成される。また、制御部（演算処理装置）１０は、生成された複数の圧縮画像データ１０４のそれぞれの送信に必要な時間（予想通信時間）を算出する（ステップＳ１５）。尚、制御部１０は、生成された複数の圧縮画像データ１０４のそれぞれの送信に必要な料金（予想通信料金）を更に算出してもよい。
【００４６】
次に、表示部６０は、生成された複数の圧縮画像データ１０４及び算出された複数の予想通信時間を互いに関連付けて表示する（ステップＳ１６）。図８は、表示部６０における表示の一例を示している。例えば、図３に示された第１〜第３量子化テーブル１１０ａ〜１１０ｃのそれぞれを用いることによって、圧縮率の異なる３つの圧縮画像データ１０４ａ〜１０４ｃが生成されたとする。この場合、図８に示されるように、表示部６０には、３つの圧縮画像データ１０４ａ〜１０４ｃが、それぞれに対応する予想通信時間と共に表示される。これにより、ユーザは、それぞれの圧縮画像データ１０４に関して、画質や送信時間を確認することができる。尚、予想通信時間と共に、予想通信料金が表示されてもよい。
【００４７】
次に、ユーザは、表示部６０に表示された情報を基に、入力部７０を用いることによって、送信する１つの画像を選択する（ステップＳ１７）。この画像の選択（指定）は、圧縮率、すなわち、用いられる量子化テーブル１１０の選択（指定）に相当する。符号化部４０は、複数の量子化テーブル１１０のうちユーザによって指定された量子化テーブル１１０を、「選択量子化テーブル」として決定する。
【００４８】
次に、ユーザは、送信を開始するか、解像度を変更するかを選択する（ステップＳ１８）。解像度を変更する場合（ステップＳ１８；Ｎｏ）、表示部６０には、選択可能な解像度の一覧が表示される。ユーザは、入力部７０を用いることによって、１つの解像度を指定する（ステップＳ１３）。その後、同様の処理が繰り返される。ユーザがデータの送信を決定した場合、ユーザは、入力部７０の送信開始ボタンを押下する（ステップＳ１８；Ｙｅｓ）。モデム部５０は、ダイヤル処理を行い、相手先電話番号へ発信する（ステップＳ１９）。その後、相手先とファクシミリ通信が行われる（ステップＳ２０）。送信データの内容は、図５に示された内容と同様である。
【００４９】
本実施の形態によれば、第１の実施の形態の場合と同様の効果が得られる。更に、本実施の形態によれば、ユーザが圧縮率（画質）を何度も選択する必要がなくなるという追加的な効果が得られる。ユーザは、表示部６０に表示された複数の画像を視覚的に参照して、１つの圧縮率（量子化テーブル）を選択することができる。また、複数の画像と同時に、それぞれに対応する予想通信時間が表示されるので、ユーザは、通信時間（通信料金）を考慮しながら圧縮率を決定することが可能となる。これらにより、ユーザにとっての利便性が向上する。
【図面の簡単な説明】
【００５０】
【図１】図１は、本発明に係るカラーファクシミリ装置の構成を示すブロック図である。
【図２】図２は、ＪＰＥＧ方式による画像圧縮の流れを説明するための図である。
【図３】図３は、本発明に係る量子化テーブル格納部の内容を示す概念図である。
【図４】図４は、本発明の第１の実施の形態に係るカラー画像の送信方法を示すフローチャートである。
【図５】図５は、本発明に係る送信データの内容を示す概念図である。
【図６】図６は、ＦＡＸ送信処理の流れを示す図である。
【図７】図７は、本発明の第２の実施の形態に係るカラー画像の送信方法を示すフローチャートである。
【図８】図８は、本発明の第２の実施の形態における表示を示す模式図である。
【符号の説明】
【００５１】
１    カラーファクシミリ装置
１０    制御部
２０    読取部
３０    一時記憶部
４０    符号化部
５０    モデム部（送受信部）
６０    表示部
７０    入力部
８０    量子化テーブル格納部
１０１    読み取り画像データ
１０２    ＤＣＴデータ
１０３    量子化データ
１０４    画像符号データ
１１０    量子化テーブル
１２０    ハフマンテーブル
【図１】
2006237907.tif 000003
【図２】
2006237907.tif 000004
【図３】
2006237907.tif 000005
【図４】
2006237907.tif 000006
【図５】
2006237907.tif 000007
【図６】
2006237907.tif 000008
【図７】
2006237907.tif 000009
【図８】
2006237907.tif 000010